(57)【要約】本発明に係る異形曲面カバープレートとフレキシブルスクリーンとの貼合装置は、外周に第一の圧着面が設けられている第一の貼合半体であって、第一の圧着面が第一の曲面圧着面と第一の平面圧着面とを含み、第一の曲面圧着面が異形曲面カバープレートの一側辺におけるフック状円弧領域の内面形状に合致し、第一の平面圧着面が第一の曲面圧着面と滑らかに繋がっている、第一の貼合半体と、外周に第二の圧着面が設けられている第二の貼合半体であって、第二の圧着面が第二の曲面圧着面と第二の平面圧着面とを含み、第二の曲面圧着面が異形曲面カバープレートの他方側辺におけるフック状円弧領域の内面形状に合致し、第二の平面圧着面が第二の曲面圧着面と滑らかに繋がっている、第二の貼合半体と、第一の貼合半体と第二の貼合半体との相対移動を駆動する駆動アセンブリとを含む。上記貼合装置によれば、フレキシブルスクリーンの異なる領域を順次貼り合わせることにより、異形曲面カバープレートのフック状円弧領域への貼合を十分に行う。また、本発明は貼合方法をさらに提供する。
2021510839.tif 000002
【特許請求の範囲】
【請求項１】
異形曲面カバープレートとフレキシブルスクリーンとの貼合装置であって、
前記異形曲面カバープレートは、平坦領域と、前記平坦領域の反対する両側辺に設けられているとともに前記平坦領域と滑らかに繋がっているフック状円弧領域とを含み、
前記異形曲面カバープレートとフレキシブルスクリーンとの貼合装置は、
外周に第一の圧着面が設けられている第一の貼合半体であって、前記第一の圧着面は第一の曲面圧着面と第一の平面圧着面とを含み、前記第一の曲面圧着面は前記異形曲面カバープレートの一方側辺におけるフック状円弧領域の内面形状に合致し、前記第一の平面圧着面は前記第一の曲面圧着面と滑らかに繋がっている、第一の貼合半体と、
外周に第二の圧着面が設けられている第二の貼合半体であって、前記第二の圧着面は第二の曲面圧着面と第二の平面圧着面とを含み、前記第二の曲面圧着面は前記異形曲面カバープレートの他方側辺におけるフック状円弧領域の内面形状に合致し、前記第二の平面圧着面は前記第二の曲面圧着面と滑らかに繋がっている、第二の貼合半体と、を含み、
前記第一の貼合半体及び前記第二の貼合半体は、前記第一の平面圧着面と前記第二の平面圧着面とが同じ平面において隣接する閉位置と、前記第一の平面圧着面と前記第二の平面圧着面とが分離する開位置とを有し、前記閉位置において、前記第一の平面圧着面及び前記第二の平面圧着面は、前記フレキシブルスクリーンの中間部を前記異形曲面カバープレートの前記平坦領域の内面に圧着し、前記開位置において、前記第一の曲面圧着面及び前記第二の曲面圧着面は、前記フレキシブルスクリーンの縁部を前記異形曲面カバープレートのフック状円弧領域の内面に圧着し、
前記異形曲面カバープレートとフレキシブルスクリーンとの貼合装置は、前記第一の貼合半体と前記第二の貼合半体とを相対移動を行うように駆動し、前記第一の貼合半体と前記第二の貼合半体とを前記閉位置と前記開位置との間で切り替える駆動アセンブリをさらに含む、異形曲面カバープレートとフレキシブルスクリーンとの貼合装置。
【請求項２】
前記第一の貼合半体と前記第二の貼合半体とは対称に設けられている、ことを特徴とする請求項１に記載の異形曲面カバープレートとフレキシブルスクリーンとの貼合装置。
【請求項３】
位置決め治具をさらに含み、前記位置決め治具には、前記異形曲面カバープレートを収容するための位置決め溝が設けられている、ことを特徴とする請求項１に記載の異形曲面カバープレートとフレキシブルスクリーンとの貼合装置。
【請求項４】
前記第一の曲面圧着面は、前記第一の貼合半体の、前記第二の貼合半体から離れる方向へ延びている第一のフランジに設けられ、
前記第二の曲面圧着面は、前記第二の貼合半体の、前記第一の貼合半体から離れる方向へ延びている第二のフランジに設けられている、ことを特徴とする請求項１に記載の異形曲面カバープレートとフレキシブルスクリーンとの貼合装置。
【請求項５】
前記駆動アセンブリは、第一のプラグ部材及び第二のプラグ部材を含み、
前記第一の貼合半体には、前記第一のプラグ部材の構造に合う第一のスロットが設けられ、前記第一のスロットの延在方向は、前記第一の貼合半体と前記第二の貼合半体との相対移動方向に対して傾斜し、
前記第二の貼合半体には、前記第二のプラグ部材の構造に合う第二のスロットが設けられ、前記第二のスロットの延在方向は、前記第一の貼合半体と前記第二の貼合半体との相対移動方向に対して傾斜し、
前記第一のプラグ部材は、前記第一のスロットに差し込まれることが可能であるとともに前記相対移動方向に直交する方向において移動可能であり、前記第二のプラグ部材は、前記第二のスロットに差し込まれることが可能であるとともに前記相対移動方向に直交する方向において移動可能であり、前記第一の貼合半体及び前記第二の貼合半体を前記閉位置と前記開位置との間で切り替えるように駆動する、ことを特徴とする請求項１に記載の異形曲面カバープレートとフレキシブルスクリーンとの貼合装置。
【請求項６】
前記第一のプラグ部材と前記第二のプラグ部材とは、対称に設けられている、ことを特徴とする請求項５に記載の異形曲面カバープレートとフレキシブルスクリーンとの貼合装置。
【請求項７】
前記第一のスロットの延在方向と前記第二のスロットの延在方向とがなす角度の範囲は４５°〜６０°である、ことを特徴とする請求項６に記載の異形曲面カバープレートとフレキシブルスクリーンとの貼合装置。
【請求項８】
前記第一のプラグ部材は前記第一のスロットに隙間嵌めされ、前記第二のプラグ部材は前記第二のスロットに隙間嵌めされている、ことを特徴とする請求項５に記載の異形曲面カバープレートとフレキシブルスクリーンとの貼合装置。
【請求項９】
前記第一のプラグ部材及び／または前記第二のプラグ部材は、伸縮可能な構造である、ことを特徴とする請求項５に記載の異形曲面カバープレートとフレキシブルスクリーンとの貼合装置。
【請求項１０】
前記駆動アセンブリは接続部材をさらに含み、前記第一のプラグ部材及び前記第二のプラグ部材は前記接続部材に取り付けられている、ことを特徴とする請求項５に記載の異形曲面カバープレートとフレキシブルスクリーンとの貼合装置。
【請求項１１】
前記接続部材に接続されている第一の伸縮シリンダをさらに含み、前記第一の伸縮シリンダは、前記第一のプラグ部材及び前記第二のプラグ部材の、前記相対移動方向に直交する方向における移動を制御する、ことを特徴とする請求項１０に記載の異形曲面カバープレートとフレキシブルスクリーンとの貼合装置。
【請求項１２】
前記接続部材に操作部が設けられている、ことを特徴とする請求項１０に記載の異形曲面カバープレートとフレキシブルスクリーンとの貼合装置。
【請求項１３】
前記第一の圧着面及び前記第二の圧着面のいずれにも複数の真空吸着孔が設けられている、ことを特徴とする請求項１に記載の異形曲面カバープレートとフレキシブルスクリーンとの貼合装置。
【請求項１４】
前記駆動アセンブリは前記第一の貼合半体に接続されている第二の伸縮シリンダと、前記第二の貼合半体に接続されている第三の伸縮シリンダとを含み、
前記第二の伸縮シリンダ及び前記第三の伸縮シリンダは、前記第一の貼合半体と前記第二の貼合半体との相対移動を駆動する、ことを特徴とする請求項１に記載の異形曲面カバープレートとフレキシブルスクリーンとの貼合装置。
【請求項１５】
前記第一の貼合半体及び前記第二の貼合半体を前記異形曲面カバープレートの内部まで移動させ、または前記異形曲面カバープレートの内部から取り出す動力アセンブリをさらに含む、ことを特徴とする請求項１に記載の異形曲面カバープレートとフレキシブルスクリーンとの貼合装置。
【請求項１６】
異形曲面カバープレートとフレキシブルスクリーンとの貼合装置を用いた、異形曲面カバープレートとフレキシブルスクリーンとの貼合方法であって、
前記貼合装置は、第一の貼合半体と、第二の貼合半体と、駆動アセンブリとを含み、前記第一の貼合半体は第一の平面圧着面を有する第一の圧着面を含み、前記第二の貼合半体は第二の平面圧着面を有する第二の圧着面を含み、前記異形曲面カバープレートは平坦領域とフック状円弧領域とを備え、
前記方法は、
前記第一の貼合半体と前記第二の貼合半体とを閉合し、前記フレキシブルスクリーンを前記第一の圧着面及び前記第二の圧着面に付着させて、仮組立体を得るステップと、
前記仮組立体を前記異形曲面カバープレートの内部に差し込み、前記第一の平面圧着面及び前記第二の平面圧着面により前記フレキシブルスクリーンの中間部を前記異形曲面カバープレートの平坦領域の内面に圧着し、前記第一の貼合半体及び前記第二の貼合半体が閉位置にあるようにするステップと、
前記駆動アセンブリを駆動することにより、前記第一の貼合半体及び前記第二の貼合半体をそれぞれ前記異形曲面カバープレートのフック状円弧領域へ向かって開位置まで移動させるステップと、を含むことを特徴とする異形曲面カバープレートとフレキシブルスクリーンとの貼合方法。
【請求項１７】
前記第一の圧着面及び前記第二の圧着面のいずれにも複数の真空吸着孔が設けられ、
前記フレキシブルスクリーンを前記第一の圧着面及び前記第二の圧着面に付着させるステップは、真空吸着により前記フレキシブルスクリーンを前記第一の圧着面及び前記第二の圧着面に付着させることを含み、
前記駆動アセンブリを駆動するステップは、真空吸着の吸着圧力を弱めることにより、前記フレキシブルスクリーンと、前記第一の圧着面及び前記第二の圧着面との間の吸着力を弱めて、前記駆動アセンブリを駆動することを含む、ことを特徴とする請求項１６に記載の異形曲面カバープレートとフレキシブルスクリーンとの貼合方法。
【請求項１８】
前記フレキシブルスクリーンまたは前記異形曲面カバープレートに、前記フレキシブルスクリーンと前記異形曲面カバープレートとを接着するための接着剤層が貼り付けられている、ことを特徴とする請求項１６に記載の異形曲面カバープレートとフレキシブルスクリーンとの貼合方法。
【発明の詳細な説明】
【技術分野】
【０００１】
本発明は、フレキシブルスクリーンの貼合の技術分野に関し、特に異形曲面カバープレートとフレキシブルスクリーンとの貼合装置及び貼合方法に関する。
【背景技術】
【０００２】
フレキシブルスクリーンは将来の業界の新しい成長点であり、フレキシブルスクリーンの可撓性について開発・活用が進められている。例えば、フレキシブルスクリーンを３Ｄ固定曲面カバープレート（両側が四分の一の円弧となっているカバープレート）に貼り付けることにより、製品の正面及び側辺での表示を実現できる。
【０００３】
従来、フレキシブルスクリーンを貼合方法として、シリコーンパッドを用いてフレキシブルスクリーンをガラス製カバープレートの内側に圧着するのが活用されている。
【０００４】
しかし、従来の貼合装置は、３Ｄ固定曲面カバープレートへの貼合を実現できるだけで、カバープレートの曲面が内側へ曲がるように設計された場合、即ち、カバープレートが異形曲面カバープレートである場合、従来の貼合装置では貼合を実現できなくなる。
【発明の概要】
【発明が解決しようとする課題】
【０００５】
これに鑑みて、新たな貼合装置を提供する必要がある。
【課題を解決するための手段】
【０００６】
本発明に係る異形曲面カバープレートとフレキシブルスクリーンとの貼合装置において、異形曲面カバープレートは、平坦領域と、平坦領域の反対する両側辺に設けられているとともに平坦領域と滑らかに繋がっているフック状円弧領域とを含み、異形曲面カバープレートとフレキシブルスクリーンとの貼合装置は、外周に第一の圧着面を有する第一の貼合半体であって、第一の圧着面は第一の曲面圧着面と第一の平面圧着面とを含み、第一の曲面圧着面は異形曲面カバープレートの一方側辺におけるフック状円弧領域の内面形状に合致し、第一の平面圧着面は第一の曲面圧着面と滑らかに繋がっている、第一の貼合半体と、外周に第二の圧着面を有する第二の貼合半体であって、第二の圧着面は第二の曲面圧着面と第二の平面圧着面とを含み、第二の曲面圧着面は異形曲面カバープレートの他方側辺におけるフック状円弧領域の内面形状に合致し、第二の平面圧着面は第二の曲面圧着面と滑らかに繋がっている、第二の貼合半体と、を含み、第一の貼合半体及び第二の貼合半体は、第一の平面圧着面と第二の平面圧着面とが同じ平面において隣接する閉位置と、第一の平面圧着面と第二の平面圧着面とが分離する開位置とを有し、閉位置において、第一の平面圧着面及び第二の平面圧着面は、フレキシブルスクリーンの中間部を異形曲面カバープレートの平坦領域の内面に圧着し、開位置において、第一の曲面圧着面及び第二の曲面圧着面は、フレキシブルスクリーンの縁部を異形曲面カバープレートのフック状円弧領域の内面に圧着し、異形曲面カバープレートとフレキシブルスクリーンとの貼合装置は、第一の貼合半体と第二の貼合半体とを相対移動を行うように駆動し、第一の貼合半体と第二の貼合半体とを閉位置と開位置との間で切り替える駆動アセンブリをさらに含む。
【０００７】
さらに、第一の貼合半体と第二の貼合半体とは対称に設けられている。
【０００８】
さらに、この異形曲面カバープレートとフレキシブルスクリーンとの貼合装置は、位置決め治具をさらに含み、位置決め治具には、異形曲面カバープレートを収容するための位置決め溝が設けられている。
【０００９】
さらに、第一の曲面圧着面は、第一の貼合半体の、第二の貼合半体から離れる方向へ延びている第一のフランジに設けられ、第二の曲面圧着面は、第二の貼合半体の、第一の貼合半体から離れる方向へ延びている第二のフランジに設けられている。
【００１０】
さらに、駆動アセンブリは、第一のプラグ部材及び第二のプラグ部材を含み、第一の貼合半体には、第一のプラグ部材の構造に合う第一のスロットが設けられ、第一のスロットの延在方向は、第一の貼合半体と第二の貼合半体との相対移動方向に対して傾斜し、第二の貼合半体には、第二のプラグ部材の構造に合う第二のスロットが設けられ、第二のスロットの延在方向は、第一の貼合半体と第二の貼合半体との相対移動方向に対して傾斜し、第一のプラグ部材は、第一のスロットに差し込まれることが可能であるとともに相対移動方向に直交する方向において移動可能であり、第二のプラグ部材は、第二のスロットに差し込まれることが可能であるとともに相対移動方向に直交する方向において移動可能であり、第一の貼合半体及び第二の貼合半体を閉位置と開位置との間で切り替えるように駆動する。
【００１１】
さらに、第一のプラグ部材と第二のプラグ部材とは対称に設けられている。
【００１２】
さらに、第一のスロットの延在方向と第二のスロットの延在方向とがなす角度の範囲は４５°〜６０°である。
【００１３】
さらに、第一のプラグ部材は第一のスロットに隙間嵌めされ、第二のプラグ部材は第二のスロットに隙間嵌めされている。
【００１４】
さらに、第一のプラグ部材及び／または第二のプラグ部材は、伸縮可能な構造である。
【００１５】
さらに、駆動アセンブリは、接続部材をさらに含み、第一のプラグ部材及び第二のプラグ部材は接続部材に取り付けられている。
【００１６】
さらに、この異形曲面カバープレートとフレキシブルスクリーンとの貼合装置は、接続部材に接続されている第一の伸縮シリンダをさらに含み、第一の伸縮シリンダは、第一のプラグ部材及び第二のプラグ部材の、相対移動方向に直交する方向における移動を制御する。
【００１７】
さらに、接続部材に操作部が設けられている。
【００１８】
さらに、第一の圧着面及び第二の圧着面のいずれにも複数の真空吸着孔が設けられている。
【００１９】
さらに、駆動アセンブリは第一の貼合半体に接続されている第二の伸縮シリンダと、第二の貼合半体に接続されている第三の伸縮シリンダとを含み、第二の伸縮シリンダ及び第三の伸縮シリンダは、第一の貼合半体と第二の貼合半体との相対移動を駆動する。
【００２０】
さらに、この異形曲面カバープレートとフレキシブルスクリーンとの貼合装置は、第一の貼合半体及び第二の貼合半体を異形曲面カバープレートの内部まで移動させ、または異形曲面カバープレートの内部から取り出す動力アセンブリをさらに含む。
【００２１】
本発明は、異形曲面カバープレートとフレキシブルスクリーンとの貼合装置を用いた、異形曲面カバープレートとフレキシブルスクリーンとの貼合方法を提供し、貼合装置は、第一の貼合半体と、第二の貼合半体と、駆動アセンブリとを含み、第一の貼合半体は第一の平面圧着面を有する第一の圧着面を含み、第二の貼合半体は第二の平面圧着面を有する第二の圧着面を含み、異形曲面カバープレートは平坦領域とフック状円弧領域とを備え、前記方法は、第一の貼合半体と第二の貼合半体とを閉合し、フレキシブルスクリーンを第一の圧着面及び第二の圧着面に付着させて、仮組立体を得るステップと、仮組立体を異形曲面カバープレートの内部に差し込み、第一の平面圧着面及び第二の平面圧着面でフレキシブルスクリーンの中間部を異形曲面カバープレートの平坦領域の内面に圧着し、第一の貼合半体及び第二の貼合半体が閉位置にあるようにするステップと、駆動アセンブリを駆動することにより、第一の貼合半体及び第二の貼合半体をそれぞれ異形曲面カバープレートのフック状円弧領域へ向かって開位置まで移動させるステップとを含む。
【００２２】
さらに、第一の圧着面及び第二の圧着面のいずれにも複数の真空吸着孔が設けられ、フレキシブルスクリーンを第一の圧着面及び第二の圧着面に付着させるステップは、真空吸着によりフレキシブルスクリーンを第一の圧着面及び第二の圧着面に付着させることを含み、駆動アセンブリを駆動するステップは、真空吸着の吸着圧力を弱めることにより、フレキシブルスクリーンと、第一の圧着面及び第二の圧着面との間の吸着力を弱めて、駆動アセンブリを駆動することを含む。
【００２３】
さらに、フレキシブルスクリーンまたは異形曲面カバープレートに、フレキシブルスクリーンと異形曲面カバープレートとを接着するための接着剤層が貼り付けられている。
【００２４】
本発明に係る貼合装置では、第一の貼合半体及び第二の貼合半体はそれぞれ、異形曲面カバープレートを圧着するための第一の平面圧着面及び第二の平面圧着面を備え、かつ、異形曲面カバープレートのフック状円弧領域を圧着するための第一の曲面圧着面及び第二の曲面圧着面を備える。駆動アセンブリにより第一の貼合半体と第二の貼合半体とをそれぞれ両側へ移動するように駆動することにより、フレキシブルスクリーンの異なる領域の貼合を順次行う。これにより、異形曲面カバープレートのフック状円弧領域への貼合を十分に行うことができ、貼合の効果をさらに高める。
【図面の簡単な説明】
【００２５】
【図１】本発明の一実施例に係る異形曲面カバープレートとフレキシブルスクリーンとの貼合装置の断面模式図である。
【図２】図１に示す貼合装置が閉状態にある時の断面模式図である。
【図３】フレキシブルスクリーンを図２に示す貼合装置に貼り付けて形成した仮組立体の断面図である。
【図４】図３に示す仮組立体と異形曲面カバープレートとの、予備的圧着時の断面図である。
【図５】図１に示す貼合装置を用いてフレキシブルスクリーンと異形曲面カバープレートとの貼合を完成した時の断面図である。
【発明を実施するための形態】
【００２６】
本発明の目的、技術案及び利点をより明らかにするために、以下は図面及び実施例を参照しながら、本発明をより詳しく説明する。なお、ここで記述する具体的な実施例は、本発明を解釈するためのものに過ぎず、本発明を限定するためのものではない。
【００２７】
なお、一要素が他要素に「設置」されると記載する場合、該一要素が前記他要素に直接に設置され、或いは、中間要素を介して設置されることを意味する。また、一要素が他要素に「接続」されると記載する場合、該一要素が前記他要素に直接に接続され、或いは、中間要素を介して接続されることを意味する。また、本明細書で使用する「垂直」、「水平」、「左」、「右」などの用語及び類似する表現は説明のためのものに過ぎず、唯一の実施形態であることを意味しない。
【００２８】
特段に定義されない限り、本願で使用される全ての技術用語と科学用語の意味は、本発明の技術分野の当業者に一般的に理解されている意味とする。本願明細書において使用される用語は、具体的な実施例を説明するためのものに過ぎず、本発明を限定するものではない。また、本明細書における「及び／または」は、挙げられた一または複数の関連項目の任意及び全ての組合せを含む意味とする。
【００２９】
図１〜図５に示すように、本発明の一実施例に係る異形曲面カバープレートとフレキシブルスクリーンとの貼合装置１００は、フレキシブルスクリーン２を異形曲面カバープレート３の内面に貼ることに用いられる。ここで、異形曲面カバープレート３は、平面状の平坦領域３１、及び平坦領域３１の反対する両側辺に設けられているとともに平坦領域３１と滑らかに繋がっているフック状円弧領域３３を含む。換言すれば、平坦領域３１は中間部に設けられ、その反対する両側辺には、曲がり返して形成されたフック状円弧領域３３が一つずつ設けられている。好ましくは、本実施例において、フック状円弧領域３３は、平坦領域３１に接する半円状となっている。なお、本実施例において、平坦領域３１の反対する両側辺は仮想の縁であり、平坦領域３１とフック状円弧領域３３の仮想境界線でもある。
【００３０】
異形曲面カバープレートとフレキシブルスクリーンとの貼合装置１００は、フレキシブルスクリーン２の内面に圧着するのに適する、第一の平面圧着面１１２を有する第一の貼合半体１１０、及び第二の平面圧着面１３２を有する第二の貼合半体１３０、並びに、第一の貼合半体１１０の第一の平面圧着面１１２と第二の貼合半体１３０の第二の平面圧着面１３２とを同じ平面において相対移動するように駆動するための駆動アセンブリ１５０を含む。
【００３１】
具体的には、第一の貼合半体１１０の外周に第一の圧着面１１１が設けられている。第一の圧着面１１１は、異形曲面カバープレート３の一方側辺のフック状円弧領域３３の内面形状に合致する第一の曲面圧着面１１４、及び、第一の曲面圧着面１１４と滑らかに繋がっているとともに、異形曲面カバープレート３の平坦領域３１の内面形状に合致する前記第一の平面圧着面１１２を含む。具体的には、第一の平面圧着面１１２は、第一の貼合半体１１０の底部に設けられ、フレキシブルスクリーン２を異形曲面カバープレート３の平坦領域３１に圧着することに用いられる。第一の曲面圧着面１１４は、第一の貼合半体１１０において第二の貼合半体１３０から離れた側の端部に設けられ、フレキシブルスクリーン２の縁部を異形曲面カバープレート３のフック状円弧領域３３の内面に圧着することに用いられる。
【００３２】
本実施例では、第一の平面圧着面１１２は平面状となっており、第一の曲面圧着面１１４は、フック状円弧領域３３の内面形状に合致する半円状となっている。好ましくは、第一の曲面圧着面１１４は、第一の貼合半体１１０の、第二の貼合半体１３０と反対の方向へ延びている第一のフランジ（図中においては符号が付けられていない）に設けられている。即ち、第一の曲面圧着面１１４にフレキシブルスクリーン２を貼り付けた後、第一の曲面圧着面１１４をフック状円弧領域３３内に差し込み、第一の曲面圧着面１１４とフック状円弧領域３３の内面との間に位置するフレキシブルスクリーン２をフック状円弧領域３３の内面にぴったり圧着することができる。換言すれば、フック状円弧領域３３の内面の半径と第一の曲面圧着面１１４の半径との差は、フレキシブルスクリーン２の厚さに等しい。
【００３３】
第二の貼合半体１３０の外周に、第二の圧着面１３１が設けられている。第二の圧着面１３１は、異形曲面カバープレート３の他方側辺におけるフック状円弧領域３３の内面形状に合致する第二の曲面圧着面１３４、及び、第二の曲面圧着面１３４と滑らかに繋がっているとともに、異形曲面カバープレート３の平坦領域３１の内面形状に合致する前記第二の平面圧着面１３２を含む。具体的には、第二の平面圧着面１３２は、第二の貼合半体１３０の底部に設けられ、フレキシブルスクリーン２を異形曲面カバープレート３の平坦領域３１に圧着することに用いられる。第二の曲面圧着面１３４は、第二の貼合半体１３０において第一の貼合半体１１０から離れた側の端部に設けられ、フレキシブルスクリーン２の縁部を異形曲面カバープレート３のフック状円弧領域３３の内面に圧着することに用いられる。
【００３４】
本実施例では、第二の平面圧着面１３２は平面状となっており、第二の曲面圧着面１３４はフック状円弧領域３３の内面形状に合致する半円状となっている。即ち、第二の曲面圧着面１３４の構造は第一の曲面圧着面１１４の構造と同じであり、かつ、第二の曲面圧着面１３４及び第一の曲面圧着面１１４は互いに反対側に設けられている。好ましくは、第二の曲面圧着面１３４は、第二の貼合半体１３０の、第一の貼合半体１１０から離れる方向へ延びている第二のフランジ（図中においては符号が付けられていない）に設けられている。なお、平坦領域３１の両側のフック状円弧領域３３の構造が異なる場合に、第二の曲面圧着面１３４及び第一の曲面圧着面１１４の構造を従って調整してよいことは無論である。
【００３５】
第一の貼合半体１１０及び第二の貼合半体１３０は、第一の平面圧着面１１２と第二の平面圧着面１３２とが同じ平面で隣接する閉位置、及び、第一の平面圧着面１１２と第二の平面圧着面１３２とが分離する開位置を有する。閉位置において、第一の平面圧着面１１２及び第二の平面圧着面１３２は、フレキシブルスクリーン２の中間部分を異形曲面カバープレート３の平坦領域の内面に圧着するのに適する。開位置において、第一の曲面圧着面１１４及び第二の曲面圧着面１３４は、フレキシブルスクリーン２の縁部を異形曲面カバープレート３のフック状円弧領域３３の内面に圧着するのに適する。
【００３６】
駆動アセンブリ１５０は、第一の貼合半体１１０と第二の貼合半体１３０とを例えば同じ平面において互いに離間するまたは寄り合うような相対移動を行うように駆動し、第一の貼合半体１１０と第二の貼合半体１３０とを、互いに当接する閉位置にし、またはそれぞれが異形曲面カバープレートの両側辺へ移動した開位置にすることに用いられる。第一の貼合半体１１０及び第二の貼合半体１３０が閉位置にある時、第一の平面圧着面１１２と第二の平面圧着面１３２とは隣接して同じ平面にある。このように、第一の貼合半体１１０と第二の貼合半体１３０とが閉位置から開位置へと移動する時、フレキシブルスクリーン２は、中間部から図面の左右両側の縁部までが順次、第一の圧着面１１１及び第二の圧着面１３１からの圧着力を受け、異形曲面カバープレート３の平坦領域３１の内面及びフック状円弧領域３３の内面に確実に圧着される。
【００３７】
本実施例では、第一の平面圧着面１１２及び第二の平面圧着面１３２は、いずれも長方形であることが好ましい。第一の貼合半体１１０と第二の貼合半体１と３０は互いに隣接するまで移動すると、第一の平面圧着面１１２の側辺と第二の平面圧着面１３２の対向する側辺が重なり合う。他の実施例では、第一の平面圧着面１１２及び第一の曲面圧着面１１４は一体の面であってよく、第二の平面圧着面１３２及び第二の曲面圧着面１３４は一体の面であってよい。
【００３８】
もちろん、第一の平面圧着面１１２及び第二の平面圧着面１３２は、長方形に限らない。例えば、第一の平面圧着面１１２及び第二の平面圧着面１３２は、重なり合う側辺が互いに合致する曲線状となっていてもよい。また、第一の平面圧着面１１２または第二の平面圧着面１３２の、上記した重なり合う側辺に隣接する側辺は、異形曲面カバープレート３の縁部を超えていることが好ましい。
【００３９】
第一の貼合半体１１０及び第二の貼合半体１３０は、左右両側へ移動する余裕があるように、第一の貼合半体１１０及び第二の貼合半体１３０が閉位置にあるとき、第一の平面圧着面１１２及び第二の平面圧着面１３２からなる全体の図２〜図４の左右方向上の長さが異形曲面カバープレート３の平坦領域３１の長さより短く構成されている。好ましくは、異形曲面カバープレート３とフレキシブルスクリーン２とを貼り合わせる時、閉状態にある貼合装置を異形曲面カバープレート３の開口から異形曲面カバープレート３の内部に差し込むことを可能にするために、第一の平面圧着面１１２及び第二の平面圧着面１３２からなる全体の図２〜図４の左右方向の長さは、異形曲面カバープレート３により形成された開口の左右方向の長さより短く構成されている。
【００４０】
好ましくは、第一の貼合半体１１０と第二の貼合半体１３０とは対称に設けられ、操作されやすい。
【００４１】
好ましくは、前記貼合装置は、位置決め治具４をさらに含む。位置決め治具４には、異形曲面カバープレート３を収容する位置決め溝４１が設けられている。位置決め溝４１は、異形曲面カバープレート３の位置決めを行うとともに、圧着力による異形曲面カバープレート３の変形を回避する役割を果たす。
【００４２】
本実施例では、駆動アセンブリ１５０は、第一のプラグ部材１５１及び第二のプラグ部材１５３を含む。これに対し、第一の貼合半体１１０には、第一のプラグ部材１５１の構造に合う第一のスロット１１３が設けられ、第一のスロット１１３の延在方向は、第一の貼合半体１１０と第二の貼合半体１３０との相対移動方向（図面における左右方向）に対して傾斜している。第二の貼合半体１３０には、第二のプラグ部材１５３の構造に合う第二のスロット１３３が設けられている。第二のスロット１３３の延在方向は、第一の貼合半体１１０と第二の貼合半体１３０との相対移動方向に対して傾斜している。第一のプラグ部材１５１は、第一のスロット１１３に差し込まれることができるとともに、上記相対移動方向に直交する方向において移動可能であり、即ち、第一のプラグ部材１５１は図面における上下方向に移動可能である。第二のプラグ部材１５３は、第二のスロット１３３に差し込まれることができるとともに、上記相対移動方向に直交する方向において移動可能である。これにより、第一の貼合半体１１０及び第二の貼合半体１３０を閉位置と開位置との間で切り替えるように駆動する。
【００４３】
好ましくは、第一のプラグ部材１５１は、第一のスロット１１３に隙間嵌めされている。第二のプラグ部材１５３は、第二のスロット１３３に隙間嵌めされている。
【００４４】
本実施例では、第一のプラグ部材１５１と第二のプラグ部材１５３は対称に設けられている。このように、第一のプラグ部材１５１及び第二のプラグ部材１５３をそれぞれ第一のスロット１１３及び第二のスロット１３３内に容易に差し込むことができ、駆動アセンブリ１５０を逆向きに置いたら差し込むことができなくなるようなことを回避できる。
【００４５】
好ましくは、駆動アセンブリ１５０の構造を簡略化するために、第一のプラグ部材１５１の第一の貼合半体１１０から離れた側の端部の延長線と、第二のプラグ部材１５３の第二の貼合半体１３０から離れた側の端部の延長線とが交差するように構成されている。好ましくは、第一のスロットの延在方向と第二のスロットの延在方向とがなす角度の範囲は４５°〜６０°である。このように、第一のプラグ部材１５１と第二のプラグ部材１５３を適切な距離だけ移動されば第一の貼合半体１１０と第二の貼合半体１３０とを移動させることができ、一方、駆動アセンブリ１５０の左右方向（即ち、第一の貼合半体と第二の貼合半体との相対移動方向）において占める空間を小さくすることができる。
【００４６】
具体的には、駆動アセンブリ１５０は、接続部材１５５をさらに含む。第一のプラグ部材１５１及び第二のプラグ部材１５３は接続部材１５５に固定的に接続され、即ち、第一のプラグ部材１５１の第一の貼合半体１１０から離れた側の端部と第二のプラグ部材１５３の第二の貼合半体１３０から離れた側の端部とは、接続部材１５５を介して接続されている。プラグ部材と接続部品とはヒンジ接続、取り外し可能な接続等により接続されてよい。もちろん、第一のプラグ部材１５１の上端と第二のプラグ部材１５３の上端とを直接に固定的に接続してもよく、または、他の形態で第一のプラグ部材１５１と第二のプラグ部材１５３とを互いに固定してもよい。
【００４７】
駆動アセンブリ１５０の上下移動により、第一の貼合半体１１０と第二の貼合半体１３０とはそれぞれ異形曲面カバープレート３のフック状円弧領域へ移動するように駆動される。具体的には、駆動アセンブリ１５０が上方へ移動する時、第一の貼合半体１１０及び第二の貼合半体１３０はそれぞれ両側へ移動させられ、駆動アセンブリ１５０が下方へ移動する時、第一の貼合半体１１０及び第二の貼合半体１３０はいずれも中間へ移動させられる。
【００４８】
好ましくは、第一のプラグ部材１５１が第一のスロット１１３に完全に差し込まれ、かつ第二のプラグ部材１５３が第二のスロット１３３に完全に差し込まれたとき、第一の貼合半体１１０と第二の貼合半体１３０は閉状態となる。ここで、第一のプラグ部材１５１が第一のスロット１１３に完全に差し込まれ、かつ第二のプラグ部材１５３が第二のスロット１３３に完全に差し込まれた状態とは、第一のプラグ部材１５１が第一のスロット１１３に更に深く差し込こまれることができず、かつ第二のプラグ部材１５３が第二のスロット１３３に更に深く差し込こまれることができない状態のことである。もちろん、第一の貼合半体１１０と第二の貼合半体１３０とが当接する時、第一のプラグ部材１５１及び第二のプラグ部材１５３がそれぞれの対応するスロットに完全に差し込まれていないような構成であってもよい。
【００４９】
本実施例では、駆動アセンブリ１５０は、接続部材１５５に対して固定されている操作部１５７をさらに含む。作業者は、操作部１５７により駆動アセンブリ１５０を掴んで、駆動アセンブリ１５０に上下移動を行わせることができる。
【００５０】
好ましくは、本実施例において、貼合装置１００は、駆動アセンブリ１５０の上下移動を制御するための第一の伸縮シリンダ（図示せず）をさらに含み、上下移動の速度や時間が効果的に制御され、省人化を図ることができる。前記第一の伸縮シリンダは、エアシリンダであってよい。
【００５１】
また、駆動アセンブリ１５０の構成は、上記に限らず、他の形態で第一の貼合半体１１０及び第二の貼合半体１３０の移動等をそれぞれ制御してもよい。例えば、第一のプラグ部材１５１及び／または第二のプラグ部材１５３を伸縮可能に構成してもよい。または、別の実施例において、駆動アセンブリ１５０は第二の伸縮シリンダ及び第三の伸縮シリンダを含み、第二の伸縮シリンダは第一の貼合半体１１０に接続され、第三の伸縮シリンダは第二の貼合半体１３０に接続され、第一の貼合半体１１０と第二の貼合半体１３０との相対移動は第二の伸縮シリンダ及び第三の伸縮シリンダによって駆動される。第二の伸縮シリンダ及び第三の伸縮シリンダは、それぞれエアシリンダであってよい。
【００５２】
好ましくは、第一の圧着面１１１及び第二の圧着面１３１に、いずれも複数の真空吸着孔（図示せず）が設けられ、真空吸着によりフレキシブルスクリーン２を第一の貼合半体１１０の第一の圧着面１１１及び第二の貼合半体１３０の第二の圧着面１３１に吸着可能である。なお、他の形態でフレキシブルスクリーン２を第一の貼合半体１１０及び第二の貼合半体１３０に付着させてもよいのは無論である。例えば、フレキシブルスクリーン２の左右の側辺のいずれにも弾性テープを接着し、弾性テープの他端をそれぞれ対応する側の第一の貼合半体１１０または第二の貼合半体１３０に固定する。好ましくは、第一の貼合半体１１０及び第二の貼合半体１３０は、第一の圧着面１１１及び第二の圧着面１３１に真空吸着孔が設けられているだけでなく、第一の貼合半体１１０における、第一の平面圧着面１１２の反対側にあって第一の曲面圧着面１１４に隣接する面にも複数の真空吸着孔が設けられ、かつ、第二の貼合半体１３０における、第二の平面圧着面１３２の反対側にあって第二の曲面圧着面１３４に隣接する面にも複数の真空吸着孔が設けられていてもよい。図３に示すように、これにより、フレキシブルスクリーン２は、第一の貼合半体１１０及び第二の貼合半体１３０に予備的に付着させられる時に、第一の貼合半体１１０及び第二の貼合半体１３０の吸着面に完全に付着し、平たいＣ字形構造となることができる。
【００５３】
好ましくは、操作の便利さのために、第一の平面圧着面１１２及び第二の平面圧着面１３２は、第一の貼合半体１１０及び第二の貼合半体１３０の図面における左右方向の長さは同じである。好ましくは、第一の貼合半体１１０及び第二の貼合半体１３０はほぼ同じな構造で、対称に配置されている。
【００５４】
好ましくは、上記貼合装置１００は、第一の貼合半体１１０及び第二の貼合半体１３０を異形曲面カバープレート３の内部まで移動させ、または異形曲面カバープレート３の内部から取り出すための動力アセンブリ（図示せず）をさらに含む。このように、異形曲面カバープレート３の外部でフレキシブルスクリーン２を第一の貼合半体１１０及び第二の貼合半体１３０のそれぞれの圧着面に吸着し、その後に第一の貼合半体１１０及び第二の貼合半体１３０を異形曲面カバープレート３の内部に入れて、フレキシブルスクリーン２を異形曲面カバープレート３の内面に圧着することを容易にできる。
【００５５】
上記貼合装置において、第一の貼合半体１１０及び第二の貼合半体１３０はそれぞれ、異形曲面カバープレート３の平坦領域３１を圧着するための第一の平面圧着面１１２及び第二の平面圧着面１３２を有し、かつ、異形曲面カバープレート３のフック状円弧領域３３へ圧着するための第一の曲面圧着面１１４及び第二の曲面圧着面１３４を有する。駆動アセンブリにより第一の貼合半体１１０と第二の貼合半体１３０が左右方向において離間するように駆動されることにより、フレキシブルスクリーン２の各領域は順次異形曲面カバープレート３の内面に貼り付けられる。具体的には、フレキシブルスクリーン２を中間から左右両側の縁部まで順次異形曲面カバープレート３の内面に貼り付けることにより、異形曲面カバープレート３のフック状円弧領域３３に対する貼り付けを十分に行うことができ、貼合の効果が高まる。フレキシブルスクリーン２が異形曲面カバープレート３に完全に貼り付けられた後、第一の貼合半体１１０と第二の貼合半体１３０とが左右方向において寄り合うように駆動されることにより、異形曲面カバープレート３は貼合装置から容易に分離できる。
【００５６】
本発明は、異形曲面カバープレート３とフレキシブルスクリーン２との貼合装置を用いて異形曲面カバープレート３とフレキシブルスクリーン２とを貼り合わせる方法をさらに提供する。上述したように、貼合装置１００は、第一の貼合半体１１０、第二の貼合半体１３０及び駆動アセンブリを含む。第一の貼合半体１１０は第一の平面圧着面１１２を有する第一の圧着面１１１を含み、第二の貼合半体１３０は第二の平面圧着面１３２を有する第二の圧着面１３１を含み、異形曲面カバープレート３は平坦領域３１及びフック状円弧領域３３を有する。前記方法は以下のステップを含む。
【００５７】
Ｓ１において、第一の貼合半体１１０と第二の貼合半体１３０とを閉合し、フレキシブルスクリーン２を第一の圧着面１１１及び第二の圧着面１３１に付着させて、仮組立体１０００を得る。
【００５８】
Ｓ２において、仮組立体１０００を異形曲面カバープレート３の内部に差し込み、第一の平面圧着面１１２及び第二の平面圧着面１３２でフレキシブルスクリーン２の中間部を異形曲面カバープレート３の平坦領域３１の内面に圧着し、第一の貼合半体１１０及び第二の貼合半体１３０が閉位置にあるようにする。
【００５９】
Ｓ３において、前記駆動アセンブリを駆動することにより、第一の貼合半体１１０及び第二の貼合半体１３０をそれぞれ異形曲面カバープレート３のフック状円弧領域３３へ向かって開位置まで移動させる。
【００６０】
ここで、フレキシブルスクリーン２は、フレキシブルＯＬＥＤスクリーンであることが好ましい。なお、フレキシブルスクリーン２は他の種類のフレキシブルスクリーンであってもよいのは無論である。
【００６１】
ステップＳ１では、まず、第一の貼合半体１１０の第一の平面圧着面１１２と第二の貼合半体１３０の第二の平面圧着面１３２とが互いに隣接していること、即ち、貼合装置１００が閉状態にあることを確認して、フレキシブルスクリーン２の中間部分が吊されてしまうのを回避し、貼付中の気泡の発生を回避する。もちろん、貼合装置１００が閉状態ではない場合に、駆動アセンブリにより第一の貼合半体１１０と第二の貼合半体１３０とを相対移動させることにより貼合装置１００を閉状態にする必要がある。
【００６２】
また、接着剤層を用いてフレキシブルスクリーン２と異形曲面カバープレート３とを貼り合わせてよい。接着剤層を予めフレキシブルスクリーン２に貼ってもよく、予め異形曲面カバープレート３に貼ってもよい。接着剤層はＯＣＡ接着剤層であることが好ましく、適用可能な他の接着剤から構成されてもよい。
【００６３】
好ましくは、ステップＳ１において、フレキシブルスクリーン２を第一の圧着面１１１及び第二の圧着面１３１に付着させることは、真空吸着によりフレキシブルスクリーン２を第一の圧着面１１１及び第二の圧着面１３１に付着させることを含む。具体的には、第一の圧着面１１１及び第二の圧着面１３１のいずれにも複数の真空吸着孔が設けられ、真空吸着によりフレキシブルスクリーン２を第一の貼合半体１１０及び第二の貼合半体１３０に付着させる。好ましくは、真空吸着の吸着圧力は?８０ｋｐａとする。
【００６４】
好ましくは、ステップＳ３において、前記駆動アセンブリを駆動することは、真空吸着の吸着圧力を弱めることにより、フレキシブルスクリーン２と、第一の貼合半体１１０及びその第一の圧着面１１１並びに第二の貼合半体１３０及びその第二の圧着面１３１と、の間の吸着力を弱めながら、前記駆動アセンブリを駆動することを含む。真空吸着の吸着圧力を弱めた後、吸着圧力を?５ｋｐａ〜?２０ｋｐａとすることが好ましく、吸着圧力を?１０ｋｐａとすることがより好ましい。
【００６５】
上記貼合方法によれば、異形曲面カバープレート３のフック状円弧領域３３に対する貼り付けを十分行うことができ、貼合効果がより一層高まる。
【００６６】
上述した実施例の各技術的特徴は任意に組み合わせることができる。記述の簡潔化のために、上述した実施例における各技術的特徴のあらゆる組合せについて説明していないが、これらの技術的特徴の組合せは矛盾しない限り、本明細書に記述されている範囲内であると考えられるべきである。
【００６７】
上述した実施例は、本発明のいくつかの実施形態を示したものにすぎず、その記述が具体的かつ詳細であるが、本発明の範囲を限定するものと解釈されるべきではない。なお、当業者にとって、本発明の趣旨から逸脱せずに、複数の変形および改良を行うことができ、これら変形や改良もすべて本発明の保護範囲内に含まれる。本発明の保護範囲は、特許請求の範囲に準ずるものとする。
【図１】
2021510839.tif 000003
【図２】
2021510839.tif 000004
【図３】
2021510839.tif 000005
【図４】
2021510839.tif 000006
【図５】
2021510839.tif 000007
【手続補正書】
【提出日】令和2年7月7日(2020.7.7)
【手続補正１】
【補正対象書類名】特許請求の範囲
【補正対象項目名】全文
【補正方法】変更
【補正の内容】
【特許請求の範囲】
【請求項１】
異形曲面カバープレートとフレキシブルスクリーンとの貼合装置であって、
前記異形曲面カバープレートは、平坦領域と、前記平坦領域の反対する両側辺に設けられているとともに前記平坦領域と滑らかに繋がっているフック状円弧領域とを含み、
前記異形曲面カバープレートとフレキシブルスクリーンとの貼合装置は、
外周に第一の圧着面が設けられている第一の貼合半体であって、前記第一の圧着面は第一の曲面圧着面と第一の平面圧着面とを含み、前記第一の曲面圧着面は前記異形曲面カバープレートの一方側辺におけるフック状円弧領域の内面形状に合致し、前記第一の平面圧着面は前記第一の曲面圧着面と滑らかに繋がっている、第一の貼合半体と、
外周に第二の圧着面が設けられている第二の貼合半体であって、前記第二の圧着面は第二の曲面圧着面と第二の平面圧着面とを含み、前記第二の曲面圧着面は前記異形曲面カバープレートの他方側辺におけるフック状円弧領域の内面形状に合致し、前記第二の平面圧着面は前記第二の曲面圧着面と滑らかに繋がっている、第二の貼合半体と、を含み、
前記第一の貼合半体及び前記第二の貼合半体は、前記第一の平面圧着面と前記第二の平面圧着面とが同じ平面において隣接する閉位置と、前記第一の平面圧着面と前記第二の平面圧着面とが分離する開位置とを有し、前記閉位置において、前記第一の平面圧着面及び前記第二の平面圧着面は、前記フレキシブルスクリーンの中間部を前記異形曲面カバープレートの前記平坦領域の内面に圧着し、前記開位置において、前記第一の曲面圧着面及び前記第二の曲面圧着面は、前記フレキシブルスクリーンの縁部を前記異形曲面カバープレートのフック状円弧領域の内面に圧着し、
前記異形曲面カバープレートとフレキシブルスクリーンとの貼合装置は、前記第一の貼合半体と前記第二の貼合半体とを相対移動を行うように駆動し、前記第一の貼合半体と前記第二の貼合半体とを前記閉位置と前記開位置との間で切り替える駆動アセンブリをさらに含む、異形曲面カバープレートとフレキシブルスクリーンとの貼合装置。
【請求項２】
位置決め治具をさらに含み、前記位置決め治具には、前記異形曲面カバープレートを収容するための位置決め溝が設けられている、ことを特徴とする請求項１に記載の異形曲面カバープレートとフレキシブルスクリーンとの貼合装置。
【請求項３】
前記第一の曲面圧着面は、前記第一の貼合半体の、前記第二の貼合半体から離れる方向へ延びている第一のフランジに設けられ、
前記第二の曲面圧着面は、前記第二の貼合半体の、前記第一の貼合半体から離れる方向へ延びている第二のフランジに設けられている、ことを特徴とする請求項１に記載の異形曲面カバープレートとフレキシブルスクリーンとの貼合装置。
【請求項４】
前記駆動アセンブリは、第一のプラグ部材及び第二のプラグ部材を含み、
前記第一の貼合半体には、前記第一のプラグ部材の構造に合う第一のスロットが設けられ、前記第一のスロットの延在方向は、前記第一の貼合半体と前記第二の貼合半体との相対移動方向に対して傾斜し、
前記第二の貼合半体には、前記第二のプラグ部材の構造に合う第二のスロットが設けられ、前記第二のスロットの延在方向は、前記第一の貼合半体と前記第二の貼合半体との相対移動方向に対して傾斜し、
前記第一のプラグ部材は、前記第一のスロットに差し込まれることが可能であるとともに前記相対移動方向に直交する方向において移動可能であり、前記第二のプラグ部材は、前記第二のスロットに差し込まれることが可能であるとともに前記相対移動方向に直交する方向において移動可能であり、前記第一の貼合半体及び前記第二の貼合半体を前記閉位置と前記開位置との間で切り替えるように駆動する、ことを特徴とする請求項１に記載の異形曲面カバープレートとフレキシブルスクリーンとの貼合装置。
【請求項５】
前記第一の貼合半体と前記第二の貼合半体とは対称に設けられ、前記第一のプラグ部材と前記第二のプラグ部材とは、対称に設けられている、ことを特徴とする請求項４に記載の異形曲面カバープレートとフレキシブルスクリーンとの貼合装置。
【請求項６】
前記第一のスロットの延在方向と前記第二のスロットの延在方向とがなす角度の範囲は４５°〜６０°である、ことを特徴とする請求項４に記載の異形曲面カバープレートとフレキシブルスクリーンとの貼合装置。
【請求項７】
前記第一のプラグ部材は前記第一のスロットに隙間嵌めされ、前記第二のプラグ部材は前記第二のスロットに隙間嵌めされ、及び／または、前記第一のプラグ部材及び／または前記第二のプラグ部材は、伸縮可能な構造である、ことを特徴とする請求項４に記載の異形曲面カバープレートとフレキシブルスクリーンとの貼合装置。
【請求項８】
前記駆動アセンブリは接続部材をさらに含み、前記第一のプラグ部材及び前記第二のプラグ部材は前記接続部材に取り付けられている、ことを特徴とする請求項４に記載の異形曲面カバープレートとフレキシブルスクリーンとの貼合装置。
【請求項９】
前記接続部材に接続されている第一の伸縮シリンダをさらに含み、前記第一の伸縮シリンダは、前記第一のプラグ部材及び前記第二のプラグ部材の、前記相対移動方向に直交する方向における移動を制御し、及び／または、前記接続部材に操作部が設けられている、ことを特徴とする請求項８に記載の異形曲面カバープレートとフレキシブルスクリーンとの貼合装置。
【請求項１０】
前記第一の圧着面及び前記第二の圧着面のいずれにも複数の真空吸着孔が設けられ、及び／または、前記駆動アセンブリは前記第一の貼合半体に接続されている第二の伸縮シリンダと、前記第二の貼合半体に接続されている第三の伸縮シリンダとを含み、前記第二の伸縮シリンダ及び前記第三の伸縮シリンダは、前記第一の貼合半体と前記第二の貼合半体との相対移動を駆動し、及び／または、前記異形曲面カバープレートとフレキシブルスクリーンとの貼合装置は、前記第一の貼合半体及び前記第二の貼合半体を前記異形曲面カバープレートの内部まで移動させ、または前記異形曲面カバープレートの内部から取り出す動力アセンブリをさらに含む、ことを特徴とする請求項１に記載の異形曲面カバープレートとフレキシブルスクリーンとの貼合装置。
【請求項１１】
異形曲面カバープレートとフレキシブルスクリーンとの貼合装置を用いた、異形曲面カバープレートとフレキシブルスクリーンとの貼合方法であって、
前記貼合装置は、第一の貼合半体と、第二の貼合半体と、駆動アセンブリとを含み、前記第一の貼合半体は第一の平面圧着面を有する第一の圧着面を含み、前記第二の貼合半体は第二の平面圧着面を有する第二の圧着面を含み、前記異形曲面カバープレートは平坦領域とフック状円弧領域とを備え、
前記方法は、
前記第一の貼合半体と前記第二の貼合半体とを閉合し、前記フレキシブルスクリーンを前記第一の圧着面及び前記第二の圧着面に付着させて、仮組立体を得るステップと、
前記仮組立体を前記異形曲面カバープレートの内部に差し込み、前記第一の平面圧着面及び前記第二の平面圧着面により前記フレキシブルスクリーンの中間部を前記異形曲面カバープレートの平坦領域の内面に圧着し、前記第一の貼合半体及び前記第二の貼合半体が閉位置にあるようにするステップと、
前記駆動アセンブリを駆動することにより、前記第一の貼合半体及び前記第二の貼合半体をそれぞれ前記異形曲面カバープレートのフック状円弧領域へ向かって開位置まで移動させるステップと、を含むことを特徴とする異形曲面カバープレートとフレキシブルスクリーンとの貼合方法。
【請求項１２】
前記第一の圧着面及び前記第二の圧着面のいずれにも複数の真空吸着孔が設けられ、
前記フレキシブルスクリーンを前記第一の圧着面及び前記第二の圧着面に付着させるステップは、真空吸着により前記フレキシブルスクリーンを前記第一の圧着面及び前記第二の圧着面に付着させることを含み、
前記駆動アセンブリを駆動するステップは、真空吸着の吸着圧力を弱めることにより、前記フレキシブルスクリーンと、前記第一の圧着面及び前記第二の圧着面との間の吸着力を弱めて、前記駆動アセンブリを駆動することを含む、ことを特徴とする請求項１１に記載の異形曲面カバープレートとフレキシブルスクリーンとの貼合方法。
【請求項１３】
前記フレキシブルスクリーンまたは前記異形曲面カバープレートに、前記フレキシブルスクリーンと前記異形曲面カバープレートとを接着するための接着剤層が貼り付けられている、ことを特徴とする請求項１１に記載の異形曲面カバープレートとフレキシブルスクリーンとの貼合方法。
【国際調査報告】
2021510839.tif 000008
2021510839.tif 000009
2021510839.tif 000010
2021510839.tif 000011